(57)【要約】【課題】効率よく室内空気を循環することで、室内の温度格差を減少させるとともに、上方から下方あるいは下方から上方へマルチに室内空気を循環することを可能にする循環扇の提供を図る。【解決手段】筒体２の上部及び下部に空気Ａの吸排気孔３を備えるとともに、該筒体２の内部には電動回転扇４を備える構成となっている。電動回転扇４は、スイッチの切替えを行うことにより、正回転並びに逆回転を切り替えることが可能である。そして、前記筒体２の上部及び下部に備えられた吸排気孔３の少なくとも一方に、集塵フィルターＦが備え付けられている構成とすることが可能である。【選択図】  図１
0003151425.tif 000002
【実用新案登録請求の範囲】
【請求項１】
室内の空気を循環するための装置であって、筒体の上部及び下部に空気の吸排気孔を備えるとともに、該筒体の内部には電動回転扇を備えることで、該電動回転扇を駆動させることで室内の空気を吸排気孔を介して循環させることを特徴とする循環扇。
【請求項２】
前記循環扇において、スイッチの切替えにより、前記電動回転扇の正回転並びに逆回転を切替え可能であることを特徴とする請求項１に記載の循環扇。
【請求項３】
前記循環扇において、筒体の上部及び下部に備えられた吸排気孔の少なくとも一方に、集塵フィルターが備え付けられていることを特徴とする請求項１または請求項２に記載の循環扇。
【請求項４】
前記循環扇において、筒体の高さ調節機能を備えたことを特徴とする請求項１から請求項３のいずれかに記載の循環扇。
【請求項５】
前記循環扇において、筒体の外面に装飾性を施すことにより、全体外観的にディスプレイ機能を備えたことを特徴とする請求項１から請求項４のいずれかに記載の循環扇。
【考案の詳細な説明】
【技術分野】
【０００１】
本考案は、室内の空気を循環するための装置に関するものである。
【背景技術】
【０００２】
室内の天井付近と床付近とでは、温度差が発生する。この現象は、夏場の冷房や冬場の暖房により顕著となり、必要以上にエアコンを駆動させることでエネルギー効率が悪くなってしまうこととなる。
かかる問題を解決すべく、例えば、特開２００８−２１５２４８号公報（特許文献１）や特開２００７−２４７５７３号公報（特許文献２）にあるように、天井に備え付けて回転させる天井扇が使用されている。これは、該天井扇を回転させることで、天井付近の空気を下方へ送風することにより、室内の温度差を減少させるものである。
【０００３】
【特許文献１】特開２００８−２１５２４８号公報
【特許文献２】特開２００７−２４７５７３号公報
【考案の開示】
【考案が解決しようとする課題】
【０００４】
しかしながら、上記した天井扇は、上から下へ一方向のみに送風するものであり、該天井扇直下にいる人にとって、不快感を感じさせる場合があった。
そこで本考案は、上記問題点に鑑みてなされたものであって、効率よく室内空気を循環することで、室内の温度格差を減少させるとともに、上方から下方あるいは下方から上方へマルチに室内空気を循環することを可能にする循環扇を提供することを課題とするものである。
【課題を解決するための手段】
【０００５】
前記課題を解決するため、本考案は、室内の空気を循環するための装置であって、筒体の上部及び下部に空気の吸排気孔を備えるとともに、該筒体の内部には電動回転扇を備えることで、該電動回転扇を駆動させることで室内の空気を吸排気孔を介して循環させる構造となっている。
【０００６】
また、本考案は、前記循環扇において、スイッチの切替えにより、前記電動回転扇の正回転並びに逆回転を切替え可能とした構造を採用し得る。
【０００７】
さらに、本考案は、前記循環扇において、筒体の上部及び下部に備えられた吸排気孔の少なくとも一方に、集塵フィルターが備え付けられている構造とすることができる。
【０００８】
またさらに、本考案は、前記循環扇において、筒体の高さ調節機能を備えた構造を採用することができる。
【０００９】
そしてまた、本考案は、前記循環扇において、筒体の外面に装飾性を施すことにより、全体外観的にディスプレイ機能を備えた構成を採用し得る。
【考案の効果】
【００１０】
本考案にかかる循環扇によれば、電動回転扇を駆動させることで、室内の空気を吸排気孔を介して循環させることが可能となる。このとき、該電動回転扇の回転方向を、必要に応じて正回転あるいは逆回転に切替え可能とすることで、室内の温度格差を効率よく減少させることができる。
【考案を実施するための最良の形態】
【００１１】
以下、本考案にかかる循環扇１の実施形態について、図面を参照しながら詳細に説明する。
【００１２】
図１及び図２は、本考案にかかる循環扇１の実施形態を示しており、図１は全体斜視図、図２は断面図である。
本実施形態における循環扇１は、図面に示すように筒体２からなり、該筒体２の上部及び下部に、空気Ａの吸排気孔３を備えた構造となっている。
【００１３】
該筒体２は、図面において円筒状となっているが、中空の筒状であれば、多角筒状等、その形状については特に限定するものではない。
また、筒体２の材質についても特に限定するものではなく、木製や樹脂製、金属製等、何であってもよい。
【００１４】
前記筒体２の上部及び下部に備えられた吸排気孔３について、図面では、筒体２の側面に備えた構成について示しているが、上部の吸排気孔３については、筒体２の上面に備える構成も考えられ、その備える箇所については特に限定するものではない。
また、図面では、筒体２の上部及び下部に夫々一ずつの吸排気孔３を備えた構成について示しているが、かかる吸排気孔３を上部及び下部に夫々複数備える構成も考えられ、あるいは上部または下部の一方に一つ、他方には複数備える構成であってもよい。
【００１５】
さらに、前記筒体２の上部及び下部に備えられた吸排気孔３について、少なくとも一方あるいは両方に、集塵フィルターＦが備え付けられている構成とすることができる。
かかる構成を採用することにより、室内空気Ａの吸入口あるいは排出口として機能する前記吸排気孔３において、空気Ａ中の細かい埃や粉塵、花粉等を、かかる集塵フィルターＦによって集塵することが可能となり、簡易的な空気清浄機能を発揮することとなる。
【００１６】
なお、前記吸排気孔３について、吸排気（特に排気）の際の空気Ａの向きを変更可能とすべく、向き変更機構６を備える構成を採用し得る。該向き変更機構６の構造・形態については、特に限定するものではなく、蛇腹式のＬ字口を取り付ける形態などが考えられる。図５は、かかる向き変更機構６の一例を吸排気孔３に備えた場合の循環扇１について示している。
【００１７】
また、前記筒体２の構造として、該筒体２の高さ調節機能Ｃを備えた構造を採用し得る。
かかる高さ調節機能Ｃの具体的構造としては、例えば図３に示すように、筒体２を上部筒体２ａ及び下部筒体２ｂの二重スライド構造とするとともに、スライド固定手段５を備える手段によるものが考えられる。
また、別の手段として、図４に示すように、筒体２を上部筒体２ａ及び下部筒体２ｂに二分割可能とし、その中間にジョイント筒体２ｃを適宜追加することで、筒体２全体の高さを調節する手段も考え得る。
【００１８】
前記筒体２の内部には、電動回転扇４が備えられている。かかる電動回転扇４により、室内の空気を上方から下方へ、あるいは、下方から上方へと循環させることが可能になる。すなわち、該電動回転扇４を駆動させることにより、筒体２の上部及び下部に備えられた吸排気孔３のいずれか一方から室内の空気Ａが吸入され、かつ、他方の吸排気孔３から排出されることで、室内の空気Ａの循環がなされることとなる。
【００１９】
このとき、前記電動回転扇４の回転方向について、スイッチの切替えを行うことで、正回転並びに逆回転が切替え可能な構造とすることが望ましい。すなわち、例えば電動回転扇４が正回転の場合に、筒体２の下部にある吸排気孔３から室内の空気Ａを吸引し、筒体２上部の吸排気孔３から排出するものとすると、スイッチで電動回転扇４の回転方向を切替えて逆回転とした場合には、筒体２の上部にある吸排気孔３から室内の空気Ａを吸引し、筒体２下部の吸排気孔３から排出することとなる。かかる構成を採用することにより、室内上方の空気Ａを下方へ、あるいは、室内下方の空気Ａを上方へと、必要に応じて切り替えることが可能となり、これにより効率的に室内空気Ａの循環を行うことができる。
【００２０】
本考案にかかる循環扇１の構造は以上の通りであって、該循環扇１を室内に設置することにより、該室内の空気Ａを効率よく循環することが可能となる。
図６は、本考案にかかる循環扇１の設置例を示す概略説明図である。図面に示すように、循環扇１は、室内の隅等に設置され、筒体２内の電動回転扇４を駆動することで、該室内の空気Ａを上方から下方へ、あるいは、下方から上方へ循環させる。
【００２１】
なお、本考案にかかる循環扇１の設置場所については、特に問うものではない。すなわち、室内の壁面に密着するように設置したり、あるいは、室内の真ん中に設置することもでき、さらには図面に示すように、室内の隅に設置することができるなど、その設置場所を選ばない。
【００２２】
なお、本考案にかかる循環扇１を設置するに際し、筒体２の外面に装飾性を施す構成が考えられる。図７は、かかる装飾性が筒体２に施された循環扇１の実施例を示している。図面に示すように、施される装飾性としては、竹風や樹木風、ローマ時代の支柱風など、種々の装飾が考え得る。これにより、インテリア装飾として、全体外観的にディスプレイ機能を備えさせることが可能となる。
【産業上の利用可能性】
【００２３】
本考案にかかる循環扇１は、室内のあらゆる場所に設置可能で、効果的に空気Ａを循環させることで、効率的に室内の天井付近と床付近との温度格差を減少させることを可能にするだけでなく、必要に応じて上方から下方へ、あるいは、下方から上方へと気流のマルチな変更を可能にするものであって、エアコンや冷暖房器具の使い過ぎを防止するのに効果的で省エネルギーに資するものであり、さらには、筒体２を竹筒風や樹木風等に構成することで、インテリア感をかもし出すことも可能であり、本考案の産業上の利用可能性は非常に大きいといえる。
【図面の簡単な説明】
【００２４】
【図１】本考案にかかる循環扇の実施形態を示す全体斜視図である。
【図２】本考案にかかる循環扇の実施形態を示す断面図である。
【図３】本考案にかかる循環扇の実施形態を示す斜視図である。
【図４】本考案にかかる循環扇の実施形態を示す斜視図である。
【図５】本考案にかかる循環扇の実施形態を示す斜視図である。
【図６】本考案にかかる循環扇の実施態様を示す概略説明図である。
【図７】本考案にかかる循環扇の実施形態を示す斜視図である。
【符号の説明】
【００２５】
１    循環扇
２    筒体
２ａ  上部筒体
２ｂ  下部筒体
２ｃ  ジョイント筒体
３    吸排気孔
４    電動回転扇
５    スライド固定手段
６    向き変更機構
Ａ    空気
Ｃ    高さ調節機能
Ｆ    集塵フィルター
【図１】
0003151425.tif 000003
【図２】
0003151425.tif 000004
【図３】
0003151425.tif 000005
【図４】
0003151425.tif 000006
【図５】
0003151425.tif 000007
【図６】
0003151425.tif 000008
【図７】
0003151425.tif 000009